(57)【要約】【課題】検索条件に合致した情報を保持する画像や符号及びＵＲＬをサーバシステムによって動的に生成してユーザのコンピュータに画面表示する【解決手段】携帯電話の情報読取機能（例、バーコードリーダ機能）と情報内容を保持する画像や符号（例、バーコード）を融合させ、利用者に簡便な携帯サイト検索システムを提供する【選択図】図３
2006195935.tif 000002
【特許請求の範囲】
【請求項１】
ユーザが、サーバシステムから情報提供される情報を、ユーザのコンピュータからサーバシステムへ接続し、情報を検索することで、検索条件に合致した情報を保持する画像や符号及びＵＲＬをサーバシステムによって動的に生成してユーザのコンピュータに画面表示するシステム。
【請求項２】
動的生成された情報を保持する画像や符号は、携帯電話に付属する情報読取システムやバーコードリーダ及びその他のバーコードリーダによって読み取ることが可能であり、読み取られた情報は、読取システムやバーコードリーダによって解析・表示されるシステム。
【請求項３】
読取システムやバーコードリーダによって読み込まれた情報は、サーバシステムが登録する擬似情報であり、この擬似情報は、ユーザが求める本来の情報とサーバシステム内でリンクしており、これによって情報提供先の情報を読み取られたことがサーバシステムにカウントされ、データベースとして蓄積されるシステム。
【請求項４】
サイトの運営管理者が、サーバシステムにサイト情報を登録申請するとき、サーバシステム内の登録申請フォームに沿ってサイト上から申請することで、申請内容が自動的に登録され、本サイト上にその内容を保持する画像や符号が動的生成されるシステムである。
【発明の詳細な説明】
【技術分野】
【０００１】本発明は、サーバシステムから情報提供される情報を、ユーザのコンピュータからサーバシステムへ接続し、情報を検索することで、検索条件に合致した情報を保持する画像や符号及びＵＲＬをサーバシステムによって動的に生成してユーザのコンピュータに画面表示するシステムである。【０００２】また、動的生成された情報を保持する画像や符号は、携帯電話に付属する情報読取システムやバーコードリーダ及びその他のバーコードリーダによって読み取ることが可能であり、読み取られた情報は、情報読取システムやバーコードリーダによって解析・表示されるシステムである。【０００３】さらに、情報読取システムやバーコードリーダによって読み込まれた情報は、サーバシステムが登録する擬似情報であり、この擬似情報は、ユーザが求める本来の情報とサーバシステム内でリンクしており、これによって情報提供先の情報を読み取られたことがサーバシステムにカウントされ、データベースとして蓄積されるシステムである。【０００４】また、サイトの運営管理者が、サーバシステムにサイト情報を登録申請するとき、サーバシステム内の登録申請フォームに沿ってサイト上から申請することで、申請内容が自動的に登録され、本サイト上にその内容を保持する画像や符号が動的生成されるシステムである。
【従来の技術とその課題】
【０００５】国内のインターネットの利用者数は、７千万人を超え、アメリカ（１億７千万人）に次いで世界２番目、携帯電話の加入者の約８割が携帯インターネットの契約者であり、主要国における携帯電話のインターネット対応比率（携帯電話加入者に占める携帯インターネット加入者の割合）は、日本が約７４％で第１位の「携帯インターネット王国」でありながら、携帯電話で情報を得ようとする場合は、検索するためにいくつものページ検索・閲覧を経なくては目的の情報は得られないシステムとなっている。
【０００６】また、携帯電話での検索には、検索中もパケット通信費がかかるというデメリットを生じさせている。
【０００７】これまでにもコンピュータから携帯サイトを検索するシステムはあったが、コンピュータへ携帯のメールアドレスを入力して、検索ＵＲＬをメール送信する方法を採ることで、サイトのカウントを収集する方法を講じているため、コンピュータへの携帯メールアドレス入力が必須であり、メールアドレスの不用意な漏洩の要因ともなりかねない手段となっている。
【０００８】さらに、メール送信した場合、通信インフラのトラフィック状況、経由するサーバの通信状況や負荷状況によって、携帯への送信が遅延する可能性もあり、現に通常のメール送受信にして遅延する状況も生じていることから、即応性に欠如し、利用者にとって利便性を欠く問題点を有している。
【０００９】本発明は、上述したような実情を鑑みて創案されたもので、携帯電話の情報読取機能（例、バーコードリーダ機能）と情報内容を保持する画像や符号（例、バーコード）を融合させ、利用者に簡便な携帯サイト検索システムを提供することを目的とするものである
【課題を解決するための手段】
【００１０】本発明は、第１には、サーバシステムとユーザコンピュータ及びこれらを結ぶ通信回線とからなり、サーバシステムから情報提供される情報を、ユーザのコンピュータからサーバシステムへ接続し、情報を検索することで、検索条件に合致した情報を保持する画像や符号及びＵＲＬをサーバシステムによって動的に生成してユーザのコンピュータに画面表示することを特徴とする。
【００１１】第２には、動的生成された情報を保持する画像や符号は、携帯電話に付属する情報読取システムやバーコードリーダ及びその他のバーコードリーダによって読み取ることが可能であり、読み取られた情報は、読取システムやバーコードリーダによって解析・表示されることを特徴とする。
【００１２】第３には、読取システムやバーコードリーダによって読み込まれた情報は、サーバシステムが登録する擬似情報であり、この擬似情報は、ユーザが求める検索された本来の情報とサーバシステム内でリンクしており、これによって検索された情報提供先の情報を読み取られたことがサーバシステムにカウントされ、データベースとして蓄積されることを特徴とするシステムである。
【作用】
【００１３】本発明は、上述のように構成されるため、ユーザのコンピュータからサーバシステムへ接続して情報検索することによって動的生成された情報内容を保持する画像や符号を携帯電話の読取機能を用いて読み取ることで、メール送信によるメールアドレスの漏洩や情報遅延、パケット通信料の負担などを回避して、簡便に検索情報を得て、表示することができるようになる。
【００１４】また、サイトの運営管理者が、サーバシステムにサイト情報を登録申請するとき、サーバシステム内の登録申請フォームに沿ってサイト上から申請することで、申請内容が自動的に登録され、本サイト上にその内容を保持する画像や符号が動的生成されるシステムであるため、サーバシステムの管理・運営において効率的なシステムとなっている。
【発明を実施するための最良の形態】
【００１５】本発明は、図１に示すように、ユーザが、サーバシステムから情報提供される情報を、ユーザのコンピュータからサーバシステムへ接続し、情報を検索することで、検索条件に合致した情報を保持する画像や符号及びＵＲＬをサーバシステムによって動的に生成してユーザのコンピュータに画面表示するよう構成される。【００１６】次に、図２は本発明の実施の第２形態例を示している。この例は、サーバシステムが動的生成した情報を保持する画像や符号及びＵＲＬをユーザのコンピュータが表示し、表示された情報を保持する画像や符号及びＵＲＬを携帯電話に付属する情報読取システム及びバーコードリーダが読み取り、読み取られた情報は、情報読取システム及びバーコードリーダによって解析・表示される構成である。【００１７】次に図３は、本発明の実施の第３形態例を示している。この例は、情報読取システムやバーコードリーダによって読み取られた情報は、サーバシステムが登録する擬似情報であり、この擬似情報は、ユーザが求める検索された本来の情報とサーバシステム内でリンクしており、これによって検索された情報提供先の情報を読み取られたことがサーバシステムにカウントされ、データベースとして蓄積される構成である。【００１８】次に図４は、本発明の実施の第４形態例を示している。この例は、サイトの運営管理者が、サーバシステムにサイト情報を登録申請するとき、サーバシステム内の登録申請フォームに沿ってサイト上から申請することで、申請内容が自動的に登録され、本サイト上にその内容を保持する画像や符号が動的生成される構成である。
【発明の効果】
【００１９】本発明は、上述のように構成されるため、ユーザのコンピュータからサーバシステムへ接続して、動的に生成された情報を保持する画像や符号及びＵＲＬを携帯電話に付帯する情報読取システムが読み取ることで、メール送信によるメールアドレスの漏洩や情報遅延、パケット通信料の負担などを回避して、簡便に検索情報を得て、表示することができるようになる。
【００２０】また、サイトの運営管理者が、サーバシステムにサイト情報を登録申請するとき、サーバシステム内の登録申請フォームに沿ってサイト上から申請することで、申請内容が自動的に登録され、本サイト上にその内容を保持する画像や符号が動的生成されるシステムであるため、サーバシステムの管理・運営において効率的なシステムとなっている。
【図面の簡単な説明】
【００２１】
【図１】本発明の実施の第１形態例を示す略図である。
【図２】同じく第２形態例を示す略図である。
【図３】同じく第３形態例を示す略図である。
【図４】同じく第４形態例を示す略図である。
【符号の説明】
【００２２】１携帯電話
２サーバシステム
３ユーザコンピュータ
４情報を保持する画像、符号
【図１】
2006195935.tif 000003
【図２】
2006195935.tif 000004
【図３】
2006195935.tif 000005
【図４】
2006195935.tif 000006